(57)【要約】【課題】デジタルカメラを用いた写真撮影装置で撮影したデジタル画像データが誰のものか識別可能とすることにより、デジタル画像データを多様な形で顧客に提供する。【解決手段】デジタルカメラ２４によって写真撮影終了後、カードリーダ／ライタ３７またはスキャナ４８によりテキストデータを入力する。コントローラ３３中のＣＰＵ９４は、デジタルカメラ２４で撮影された被写体のデジタル画像データに、固有のテキストデータを対応させる。この対応させられたテキストデータによって、誰のものか識別可能なデジタル画像データを作成する。【選択図】　　　　図１
2004104297.tif 000002
【特許請求の範囲】
【請求項１】
デジタルカメラを含む写真撮影装置において、該装置はさらに、
テキストデータ入力手段と、
前記デジタルカメラで撮影されたデジタル画像データに、固有のテキストデータを対応させるデータ処理手段とを含み、
該テキストデータによって識別可能なデジタル画像データを作成することを特徴とする写真撮影装置。
【請求項２】
請求項１に記載の装置において、前記テキストデータ入力手段は、所定の様式でテキストが表示された書札を走査して画像データ化するスキャナと、該画像データをさらにテキストとして認識してテキストデータ化する文字認識手段とを含むことを特徴とする写真撮影装置。
【請求項３】
請求項２に記載の装置において、前記所定の様式でテキストが表示された書札は、運転免許証であることを特徴とする写真撮影装置。
【請求項４】
請求項１に記載の装置において、前記テキストデータ入力手段は、記録媒体に記録されたファイルに所定の方式で書き込まれたテキストデータを読み込む記録媒体読み取り手段であることを特徴とする写真撮影装置。
【請求項５】
請求項１ないし４のいずれかに記載の装置において、該装置はさらに、前記識別可能なデジタル画像データを記録媒体に出力する記録媒体書き込み手段を含むことを特徴とする写真撮影装置。
【請求項６】
請求項１ないし５のいずれかに記載の装置において、該装置はさらに、樹脂を含むカードに画像を印刷する印刷手段を含むことを特徴とする写真撮影装置。
【請求項７】
請求項１ないし６のいずれかに記載の装置において、該装置はさらに、前記識別可能なデジタル画像データを通信回線を介して所定の拠点に転送する転送手段を含むことを特徴とする写真撮影装置。
【請求項８】
請求項１ないし７のいずれかに記載の装置において、該装置はさらに、
該装置と所定の相談所とで対話可能とする対話手段を含み、
これによって、被写体は相談所の人物と対話しながら前記テキストデータ入力手段の操作が可能であることを特徴とする写真撮影装置。
【請求項９】
デジタルカメラを含む写真撮影装置を用いた写真撮影方法において、該方法は、
テキストデータ入力工程と、
前記デジタルカメラで撮影されたデジタル画像データに、固有のテキストデータを対応させるデータ処理工程とを含み、
該テキストデータによって識別可能なデジタル画像データを作成することを特徴とする写真撮影方法。
【請求項１０】
請求項９に記載の方法において、前記テキストデータ入力工程は、
インターネット上の所定のサイトからテキストデータ入力用ファイルをダウンロードする工程と、
該ダウンロードしたテキストデータ入力用ファイルに必要なテキストデータを書き込む工程と、
該必要なテキストデータが書き込まれたテキストデータ入力用ファイルを記録媒体を介して前記写真撮影装置に入力する工程とを含むことを特徴とする写真撮影方法。
【請求項１１】
デジタルカメラを含む写真撮影装置を用いた写真撮影方法において、該方法は、
写真を撮影する工程と、
該撮影により生成された画像をプレビュー表示する工程と、
該プレビュー表示から所定の時間以内に該プレビュー表示された画像の採否を決定する工程とを含み、
前記所定の時間以内に前記採否の決定がされない場合には前記写真を撮影する工程を繰り返し、
これによって、前記写真撮影装置の利用者は、前記採否の決定のみで、採用する写真を選択できることを特徴とする写真撮影方法。
【発明の詳細な説明】
【０００１】
【発明の属する技術分野】
本発明は、主として身分証明書や磁気カードなどの個人に帰属する書札に印刷される顔写真を撮影する写真撮影装置および写真撮影方法に関するものである。
【０００２】
【従来の技術】
現在、街頭には、デジタルカメラにより被写体の撮影を行う無人の自動写真撮影装置が設置されている。自動写真撮影装置は、撮影した写真を普通紙やシールなどの紙に印刷して顧客に提供する。具体例としては、本願出願人による特許文献１がある。
【０００３】
【特許文献１】
特開２００１−３１１９９６号公報。
【０００４】
【発明が解決しようとする課題】
しかし、撮影によって取得されたデジタル画像データは、「誰の顔写真か」という情報を付加されていないため、撮影したその場で紙に印刷して顧客に提供する以外には、顧客に提供する手段がなかった。
【０００５】
本発明はこのような従来技術の欠点を解消し、様々な形態で顧客にデジタル画像データを提供可能な写真撮影装置を提供することを目的とする。
【０００６】
【課題を解決するための手段】
本発明は上述の課題を解決するために、デジタルカメラを含む写真撮影装置において、テキストデータ入力手段と、デジタルカメラで撮影されたデジタル画像データに、固有のテキストデータを対応させるデータ処理手段とを含み、このテキストデータによって識別可能なデジタル画像データを作成する。
【０００７】
本発明によれば、撮影したデジタル画像データが誰のものか、識別できるようになるため、既存の自動証明撮影装置ではプリント（紙またはシール紙）に出力されるにすぎなかったデジタル画像データを、多様な形で顧客に対して提供でき、写真入りの書札を作成するのも容易となる。
【０００８】
【発明の実施の形態】
次に添付図面を参照して本発明による写真撮影装置の実施例を詳細に説明する。なお各図面において、本発明に直接関係のない要素は省略し、同様の要素は同一の参照符号によって表示する。また、信号はそれが現れる線の符号として表す。
【０００９】
図１は本発明による写真撮影装置の一実施例を示す全体構成図である。撮影装置１０は全体的に直方体の筐体を有し、大きさは高さ２．０ｍ、幅１．４ｍ程度である。一例として、図２に装置１０の外観を示す。図２に示す証明写真装置１０は、商品名「ＣＩＴＹ　ＰＨＯＴＯ　ＳＴＡＴＩＯＮ」、形式名「ＤＩＰＳ（Ｄｉｇｉｔａｌ　ＩＤ　Ｐｈｏｔｏ　Ｓｔａｔｉｏｎ）」として本願出願人が取り扱っている装置である。詳しくは本願出願人による特許文献１に記載されている。
【００１０】
図１に示すように、装置１０は幅７５ｃｍ程度の客室１２を含み、利用者１４は客室１２に設けられた椅子１６に座って撮影を行う。椅子１６は固定式であり、高さ調節機能はなくてよい。この椅子１６に利用者１４を座らせることにより、利用者１４の位置は固定される。
【００１１】
撮影装置１０は客室１２以外の部分が上段１８、中段２０、下段２２に分かれていて、中段にはデジタルカメラ２４およびコントローラ３３が設置されている。コントローラ３３はデジタルカメラ２４の撮影を制御する役割を果たす。デジタルカメラ２４のレンズの画角αは広く、客室１２の背面壁２７の高さ６０ｃｍ〜１７０ｃｍ程度の範囲をカバーする。したがって、利用者１４が椅子１６に座った時、少なくとも頭部１５および胸部１７を確実にカバーでき、利用者１４の身長に依存しない撮影が可能である。
【００１２】
上段１８には照明装置２５、ＣＲＴディスプレイ２６およびスピーカ２９が配置されている。ＣＲＴディスプレイ２６はコントローラ３３からのビデオ信号出力線２８に接続されていて、コントローラ３３から出力される動画像および静止画像を表示可能である。ディスプレイ２６の表示画面３０は下方向に向けられていて、その表示内容は、上段１８と中段２０との間の中空な境界面３２を通して、中段２０のハーフミラー３４に投影される。
【００１３】
カメラ２４と利用者１４との間に配置された傾斜したハーフミラー３４によれば、ディスプレイ２６および客室１２からの光の一部は相互に反射される。一方、客室１２からの光の一部は透過してカメラ２４に向かうが、カメラ２４側からの光は遮断され、客室１２に届かない。したがって、利用者１４は、ガラス窓３５を通してハーフミラー３４上の投影内容を確認できるが、カメラ２４は利用者１４からは見えない。しかし、客室１２からハーフミラー３４を透過してカメラ２４に到達する光によって、カメラ２４は利用者１４の画像を撮影可能である。
【００１４】
照明装置２５は撮影に十分な明るさを保つために客室１２を照らす照明であり、スピーカ２９は利用者１４に対して操作指示を音声により伝える装置である。スピーカ２９はコントローラ３３からの音声信号線３１に接続されている。
【００１５】
下段２２には、操作装置３６と、カードリーダ／ライタ３７と、プリンタ３８とが設けられている。操作装置３６はコントローラ３３に信号線４０によって接続されていて、利用者１４の操作に基づく信号をコントローラ３３に出力する装置である。操作装置３６は押しボタン４２を有する。押しボタン４２は、撮影された画像が良好であれば利用者１４が押す「ＯＫ」を表す１個のボタンでよい。このボタン４２は例えば、圧電素子によって電気信号に変換され、コントローラ３３に出力される。
【００１６】
カードリーダ／ライタ３７はコントローラ３３に信号線４３によって接続されていて、利用者１４の持参する記録媒体用の挿入口４１を有し、挿入された媒体の内容を読み取り、さらに書き込み可能な装置である。記録媒体としては、フレキシブルディスク、スマートメディア（株式会社東芝の登録商標）、コンパクトフラッシュ（米国ＳａｎＤｉｓｋ社の登録商標）、メモリースティック（ソニー株式会社の登録商標）、ＳＤ（Ｓｅｃｕｒｅ　Ｄｉｇｉｔａｌ）メモリカード（ＳＤＴＭは株式会社東芝、松下電器産業株式会社および米国ＳａｎＤｉｓｋ社の登録商標）、ｘＤ（Ｅｘｔｒｅｍｅ　Ｄｉｇｉｔａｌ）ピクチャーカード（ｘＤＴＭはオリンパス光学工業株式会社および富士写真フィルム株式会社の登録商標）等を用いることができる。
【００１７】
カードリーダ／ライタ３７はコントローラ３３に対するテキストデータ入力手段としての役割を果たす。すなわち、記録媒体に記録されたファイルに所定の方式で書き込まれたテキストデータを読み込む。このファイルは、詳しくは後述するが、インターネット上の所定のサイトからダウンロードしたテキストデータ入力用ファイルに、利用者１４が必要なテキストデータを書き込んだものである。
【００１８】
ここで本願に言う「テキストデータ」とは、画像データと区別するための用語であり、あらゆる形態で表現された文字情報を意味する。テキストデータは１バイト（ｂｙｔｅ）コードで表される英数字、記号その他のあらゆる文字と、２バイトコードで表される平仮名、漢字、片仮名、記号その他のあらゆる文字とを含んでよい。文字として復元できるものであれば暗号化されているものでもよい。また、バイトコードで表される文字情報に、ワードプロセッサなどのソフトウェアによって所定の書式やフォント情報を含めたものでもよく、こうした書式やフォント情報を含まない、単にエディタなどのソフトウェアで編集した狭義のテキストデータだけを意味するものではない。
【００１９】
そして「必要なテキストデータ」とは、利用者１４の氏名であり、この他、写真入りの社員証を作成する目的で写真撮影するのであれば、必要なテキストデータは社名、部署名、役職、社員番号となる。また写真入り学生証を作成する目的で写真撮影するのであれば、必要なテキストデータは学校名、所属学科、学年、学籍番号となる。
【００２０】
写真撮影装置１０を利用して社員証を作成しようとする会社は、上述のようなテキストデータが所定の方式で記録された記録媒体を使用して社員が写真撮影装置１０を利用できるよう、装置１０の提供者と予め契約しておく。そして装置１０の提供者に、事前に会社全体として利用料金を支払う（プリペイドしておく）。これにより、社員は記録媒体を持参して装置１０を利用すればよく、料金投入する手間が省ける。
【００２１】
カードリーダ／ライタ３７は、一方、カメラ２４によって撮影され、テキストデータを与えられて識別可能となったデジタル画像データを、記録媒体に出力する記録媒体書き込み手段でもある。
【００２２】
プリンタ３８はコントローラ３３からの出力線４４に接続されていて、カメラ２４の撮影した画像を写真としてプリント可能である。プリントされた写真は、排出口４６から排出される。
【００２３】
下段２２にはさらに、スキャナ４８と、カードプリンタ５０と、モデム５２とが設けられている。スキャナ４８はコントローラ３３に信号線５４によって接続されていて、コントローラ３３に対するカードリーダ／ライタ３７とは別のテキストデータ入力手段としての役割を果たす。テキストデータ入力には、例えば運転免許証など、どの欄に何が表示されているかが決定されている書札をスキャナ４８によって走査し、画像データ化する。スキャナ４８はさらに、図示しないものの、画像データをテキストとして認識してテキストデータ化する文字認識手段を含む。文字認識手段は、いわゆるＯＣＲ（Ｏｐｔｉｃａｌ　Ｃｈａｒａｃｔｅｒ　Ｒｅａｄｅｒ）プログラムによって動作する。文字認識の際は、所定の様式でテキストが表示された書札を走査して画像データ化してあるため、書札の各欄に表示されたテキストが何を表すテキストかを整理して認識することができる。
【００２４】
スキャナ４８が運転免許証を走査する場合、運転免許証と同様の様式でテキストが表示された書札を走査することもできることは言うまでもない。例えば写真入り社員証を作成する場合、社員の有する運転免許証では、社員の氏名しか会社に関係する情報はなく、社員全員が運転免許証を保有しているとも限らない。したがって、運転免許証と同様の様式でテキストデータが表示された書札を会社は発行し、例えば運転免許証における「本籍」の欄に社名、「住所」の欄に部署名、「番号」の欄に社員番号、「二種」の欄にデジタル画像データを転送すべき転送先のメールアドレスを記載するという約束事を決定しておけばよい。この約束事は写真撮影装置１０の提供者との間で決定することができる。社員は会社から発行されたそのような書札を持って自分の都合の良い時に本発明による写真撮影装置１０まで出かけ、そこで写真撮影し、出来上がったデジタル画像データをテキストデータとともに図３に示すラボ６６に転送することができる。そして後日、ラボ６６で出来上がった写真入り社員証を受け取ることができる。学生証を作成する場合も、社員証の場合と全く同様に、学校は、所定の書札を学生に対して発行すればよい。
【００２５】
これまでに例示したように、テキストデータ入力手段としてカードリーダ／ライタ３７またはスキャナ４８を使用する理由は、利用者１４に煩雑なキー操作を行わせないようにするためである。キー操作により行うとすれば写真撮影装置１０にキーボードを設けるか、タッチパネル式のディスプレイを用意する必要があるし、入力ミスも生じやすい。音声認識による方法も考えられるが、認識ミスのおそれがある。そこで、あらかじめテキストデータが記録された記録媒体をカードリーダ／ライタ３７で読み取るか、テキストデータが表示された免許証をスキャナ４８によって走査する方法が最も迅速で入力ミスも少ないと考えられる。
【００２６】
カードプリンタ５０は、コントローラ３３に信号線５８によって接続されていて、樹脂を含むカードに画像を印刷する印刷手段である。典型的にはポリ塩化ビニル（Ｐｏｌｙｖｉｎｙｌ　Ｃｈｌｏｒｉｄｅ；　ＰＶＣ）製のカードに写真を印刷可能なものとしてよい。あるいは、表面にＰＶＣまたは受容層コーティングが施されたポリエチレンテレフタレート（Ｐｏｌｙｅｔｈｙｌｅｎｅ　Ｔｅｒｅｐｈｔｈａｌａｔｅ；　ＰＥＴ）その他のプラスチックカードに写真を印刷可能なものとしてもよい。カードは樹脂以外の素材を含んでいてもよい。
【００２７】
モデム５２は、コントローラ３３に信号線６０によって接続されていて、識別可能なデジタル画像データを通信回線６２を介して所定の拠点に転送する転送手段である。本実施例では図３について後述するように、デジタル画像データは写真撮影装置１０からインターネット６４を介して所定の拠点、すなわちラボ６６に転送され、そこで写真入りの名刺や社員証を作成することができる。転送先は、既に述べたように、電子メールアドレスなどをあらかじめテキストデータに含めておけばよい。
【００２８】
図１では図示の便宜上、装置１０の上段１８、中段２０および下段２２の内部を可視化して示しているが、実際は、カードリーダ／ライタ３７の挿入口４１、操作装置３６の押しボタン４２およびプリンタ３８の排出口４６、スキャナ４８、カードプリンタ５０以外は、壁によって隠されていて、利用者１４からは見えない。また、下段２２は、実際はさらに、料金投入口や返金口などの機構も備えているが、これらは図示を省略している。
【００２９】
装置１０の側壁７１には、写真撮影装置１０と所定の相談所７２とで対話可能とするインターフォン７０が設けられている。インターフォン７０には、利用者１４を継続的に撮影して相談所に表示するモニタ用カメラ７４が備えられている。カメラ７４としては、例えば赤外線ＬＥＤ（Ｌｉｇｈｔ−Ｅｍｉｔｔｉｎｇ　Ｄｉｏｄｅ）カメラを用いるとよい。
【００３０】
図３に示すように、本実施例による写真撮影装置１０は、これに隣接して相談所７２を設け、そこに相談員７６を配置してよい。かかる相談所７２は会社や学校その他の建物内に装置１０を導入する場合に配置可能である。インターフォン７０によって利用者１４と相談員７６とは対話可能であり、相談員７６は、モニタ用カメラ７４によって利用者１４の顔を見ながら、操作に困った利用者１４を支援できる。また、相談所７２にはパーソナルコンピュータ（Ｐｅｒｓｏｎａｌ　Ｃｏｍｐｕｔｅｒ；　ＰＣ）７７を備え、操作装置３６に代えてコントローラ３３に接続し、相談員７６がＰＣ７７を操作することによって、利用者１４の代わりに完全に操作を代行してもよい。
【００３１】
一方、本実施例による写真撮影装置は、同じく図３に示すように、従来から街頭に存在する無人の写真撮影装置１０Ａとしてもよい。装置１０Ａの構成は装置１０と同様である。ただし装置１０Ａの場合、相談所を設けることができないため、インターフォン７０は、図１には図示しないものの、モデム５２を介してインターネット６４に接続してよい。このように装置１０Ａのインターフォン７０をインターネット６４を介して所定の遠隔拠点、例えばラボ６６に接続することにより、ラボ６６にいる相談員（図示しない）から操作支援を受けることとしてもよい。
【００３２】
以上のようなインターフォン７０およびモニタ用カメラ７４によって、利用者１４は相談所の相談員と対話しながら、カードリーダ／ライタ３７またはスキャナ４８などのテキストデータ入力手段の操作が可能となる。あるいは、相談員７６がＰＣ７７を操作することによって、利用者１４の代わりに完全にテキストデータ入力を代行してもよい。いずれにしても、利用者１４はテキストデータ入力を煩雑なキー操作等を行うことなく実行できる。
【００３３】
図４は図１のデジタルカメラ２４およびコントローラ３３の機能ブロック図である。光学レンズ８０は被写体１４からの光を受けて被写体像を結像する。撮像部８２はレンズ８０からの光８４を受けて電気信号に変換する装置である。光８４を受ける撮像素子として、例えば、ＣＣＤ（Ｃｈａｒｇｅ　Ｃｏｕｐｌｅｄ　Ｄｅｖｉｃｅ）を使用可能である。撮像部８２でアナログ電気信号に変換された画像は、端子８６を介して、ビデオ出力部８８に出力される。
【００３４】
ビデオ出力部８８は、通常、撮像部８２からのアナログ画像信号８６をそのまま出力端子９０を介してＣＲＴディスプレイ２６に送る。したがって、利用者１４の動画像は、カメラ２４に取り込まれて出力され、ＣＲＴ２６に表示され、ハーフミラー３４によって反射されて利用者１４へ帰還する。このように動画像をそのまま利用者へ帰還させることを、以下、ビデオスルーと称する。利用者１４は、撮影前は、ビデオスルーにより、帰還した自己の動画像をリアルタイムに見ることができる。
【００３５】
撮像部８２からのアナログ画像信号８６は、Ａ／Ｄ変換器（Ａｎａｌｏｇｕｅ／Ｄｉｇｉｔａｌ　Ｃｏｎｖｅｒｔｅｒ；　ＡＤＣ）９２にも出力される。撮影時には、Ａ／Ｄ変換器９２は、アナログ画像信号８６をデジタル画像信号に変換し、端子９６に出力する。ワークメモリ９８は、デジタル画像信号９６をフレーム単位で記録する記録装置である。
【００３６】
ＣＰＵ（Ｃｅｎｔｒａｌ　Ｐｒｏｃｅｓｓｉｎｇ　Ｕｎｉｔ）９４は、ＡＤＣ９２、ワークメモリ９８およびＤ／Ａ変換機（Ｄｉｇｉｔａｌ／Ａｎａｌｏｇｕｅ　Ｃｏｎｖｅｒｔｅｒ；　ＤＡＣ）９５に接続され、これらのユニットを制御する。撮影時には、ＣＰＵ９４は、ＡＤＣ９２へ変換命令１００を発信し、動画像信号８６を１フレーム単位でＡ／Ｄ変換させる。ＣＰＵ９４は、デジタル化されワークメモリ９８に記録されたデジタル画像信号を入力端子１０２から取り込み、様々な画像処理を行って出力端子１０４から出力し、ワークメモリ９８に再格納することが可能である。
【００３７】
ＣＰＵ９４が行う画像処理のうち、本実施例において特徴的なものは、デジタルカメラ２４で撮影された利用者１４のデジタル画像データに、カードリーダ／ライタ３７からワークメモリ９８を介して入力され、あるいはスキャナ４８から入力された固有のテキストデータを対応させることである。対応のさせ方はあらゆる方法で行ってよく、例えばテキストデータを用いてデジタル画像データに名前を付けることができる。あるいはテキストデータをデジタル画像データのヘッダ部分に記録して、一体的に扱い、ワークメモリ９８に格納してもよい。このようにしてデジタル画像データに対応付けられたテキストデータによって、「誰に帰属するデータか」の識別が可能なデジタル画像データを作成することができる。
【００３８】
ＣＰＵ９４は、画像処理を行ったデジタル静止画像を出力端子１０６から出力し、ＤＡＣ９５によりＤ／Ａ変換を行ってビデオ出力部８８に送ることができる。このとき、ビデオ出力部８８を制御し、ビデオスルーされているアナログ動画像信号８６に代えて、アナログ化された静止画像信号１０７を端子９０から出力させることができる。これにより、撮影され、画像処理が施された静止画像を利用者に示すことができる。また、アナログ静止画像信号１０７および動画像信号８６はカラーおよび白黒のいずれの形式でも出力することができる。
【００３９】
ＣＰＵ９４は、画像処理を施した撮影画像を自由にレイアウトしてＣＲＴ２６に表示させることができる。また、画像の出力とともに、ワークメモリ９８に予め用意された複数の静止画像をコマ送りに表示して簡単なアニメーションをＣＲＴ２６に表示させることもできる。さらに、ビデオ出力部８８を介した自由なグラフィック出力が可能であり、利用者１４に対するメッセージをＣＲＴ２６に表示させることができる。
【００４０】
ＣＰＵ９４はスピーカ２９にも接続されている。ＣＰＵ９４は静止画像信号１０６を出力すると同時に、予め用意された音声信号３１をスピーカ２９へ出力し、静止画像信号１０６に適合した操作指示を利用者１４に対して音声で指示可能である。
【００４１】
ＣＰＵ９４はプリンタ３８および操作装置３６にも接続されている。画像処理を施された静止画像は、ＣＰＵ９４から、プリント命令とともに出力線４４を介してプリンタ３８へ出力することにより、写真としてプリント可能である。また、ＣＰＵ９４は操作装置３６からの操作命令４０を受信し、利用者１４の操作に従った処理を行う。
【００４２】
ＣＰＵ９４はさらに、ＲＯＭ（Ｒｅａｄ　Ｏｎｌｙ　Ｍｅｍｏｒｙ）１０９に信号線９７、９９によって接続されている。ＲＯＭ１０９は、不揮発性の記録装置であり、不揮発性である限り、磁気記憶方式または光記憶方式のいずれを用いてもよい。ＲＯＭ１０９は、少なくとも、複数の画像処理プログラムと、証明写真の要求仕様とを記録する。要求仕様は、少なくとも、プリントすべき写真のサイズおよび当該写真における頭部の大きさおよび位置に関する情報を含む。ＣＰＵ９４は、信号線９７を通してＲＯＭ１０９にアクセスし、各種プログラムと写真の要求仕様とを、信号線９９を通して適宜読み込み、ワークメモリ９８から取り込んだデジタル静止画像信号１０２に対して、要求仕様に適合した写真を作成するための画像処理を行う。
【００４３】
このように、本発明は、デジタルカメラ２４のレンズの画角αを広くして広範な撮影範囲を確保し、利用者１４の目線合わせ作業の廃止およびカメラ２４の構造の簡素化を図っている。その一方、得られる画像は大きく、従来の撮影範囲のように証明写真用に使用可能な領域が特定されていないが、その問題を、頭部検出機能によって解消している。
【００４４】
以上のように構成された本発明による写真撮影装置の動作を、以下、説明する。
【００４５】
図５は本発明による写真撮影装置１０の動作を説明するフローチャートである。本発明の動作はすべて、スピーカ２９の音声メッセージに促されて行われる。利用者１４は、まずメディア挿入を行う（ステップＳ９９）。これにより写真撮影装置１０が起動し、利用者１４は料金を投入しなくとも、直接に写真撮影（ステップＳ１００）に進むことができる。単なる証明写真のプリントを行う顧客の場合は、料金投入が必要であるが、本実施例の場合は、利用者１４はその勤務する会社が装置１０の提供者に料金をプリペイドしているからである。
【００４６】
写真撮影Ｓ１００の詳細は図６に示す。撮影Ｓ１００Ａを行う。撮影された画像はＣＲＴ２６によってプレビュー表示Ｓ１００Ｂされ、利用者１４は音声メッセージに従ってプレビュー表示された画像の採否を決定する。利用者１４の操作はステップＳ１００Ｃで判定され、プレビュー表示から１０秒以内にＯＫボタン４２が押された場合にはプリントＳ１００Ｄを行い、利用者１４が１０秒以内にボタン４２を押さなければ自動的に再び撮影ステップＳ１００Ａに戻る。なおプリントＳ１００Ｄは省略してもよい。
【００４７】
従来、デジタル自動証明写真機で写真を印刷するまでに、選択画面等があり複数回ボタンを押す必要があった。特にデジタル機の特徴として、撮影画像を確認する工程では、その採否を複数回のボタン操作で決定せざるを得なかった。しかし、上述のような操作方法によれば、画像の採否の決定、すなわち１回のボタン操作だけでプリント出力が可能である。このような操作により、撮影能率を上げることができる。また装置１０のＲＯＭ１０９には、単なる証明写真のプリントの他、デジタル画像データのメディアへの出力、ＩＣ／ＩＤカードへのプリント、デジタル画像データの転送など、装置１０の使用目的によって、選択可能な操作ソフトを数種類入れておき、設置先で簡単に操作方法を設定出来るものとする。
【００４８】
再び図５を参照する。写真撮影Ｓ１００終了後、テキストデータ自動入力（ステップＳ１０２）を行う。これはスキャナ４８から運転免許証またはそれに準ずる様式でテキストデータが表示された書札をスキャナ４８で走査することにより行う。あるいは、カードリーダ／ライタ３７に挿入した記録媒体に記録されたファイルに所定の方式で書き込まれたテキストデータが記録されている場合には、これを読み込むことにより行う。記録媒体による場合のファイルは、図３に示すインターネット６４上の所定のサーバ１２０が提供するサイトから、利用者１４が自己の顧客端末１２２を利用してダウンロードした、テキストデータ入力用ファイルである。ダウンロードしたテキストデータ入力用ファイルには、利用者が必要なテキストデータをあらかじめ書き込むことが必要である。そして必要なテキストデータが書き込まれたテキストデータ入力用ファイルを、上述のように記録媒体を介して写真撮影装置１０に入力すればよい。
【００４９】
テキストデータ自動入力（ステップＳ１０２）は、図３に示すように、写真撮影装置１０に隣接した相談所７２に駐在している相談員７６の支援を受けて行ってもよい。相談員７６は、インターフォン７０によって利用者１４と対話し、モニタ用カメラ７４によって利用者１４の顔を見ながら、操作に困った利用者１４を支援できる。また、相談員７６に完全に操作を代行させてもよい。その場合、相談員７６は相談所７２にあるＰＣ７７を操作して、操作装置３６に代わってコントローラ３３にテキストデータや指示を入力する。
【００５０】
例えば学生証をＩＤカードで作成する場合、テキストデータ自動入力（ステップＳ１０２）は、次の様な工程で行うことが考えられる。ＰＣ７７のデータベース中には学生全員のデータを予め記録しておく。学生（利用者１４）が学部・学科・学年・学籍番号を相談員７６に告げる。相談員７６は学生が指定したデータをＰＣ７７によって入力する。すると、学生の氏名が表示され、「Ａさんですね」、とスピーカ２９からの確認メッセージがあった上で、次の工程に進む。これによりデジタル画像データにはＡさんのものとしてファイル名を付けることが出来る。
【００５１】
不特定多数の公衆ではなく、特定の学校の学生に学生証を交付する上述の場合など、限られた環境下で使用する場合は、免許証の走査という操作は不要とし、上述のように、相談員７６がテキストデータの入力を代行するのが望ましい。また、免許証は１８才以上の学生しか持っていないということからも、あらゆる年齢層に対応するには、相談員７６との対話が有効である。
【００５２】
なお、対話をするには装置１０とＰＣ７７とが近接していなければならないが、スペースの関係その他の理由により、往々にしてこれらは離れて設置する場合がある。そのため、本実施例のように、モニタ用カメラ７４を備えたインターフォン７０が必要になる。本実施例では、相談所７２は、装置１０と隣接して設けた。これは学校や会社その他の建物内に装置１０を導入する場合に有効である。しかし、街頭に設置する装置１０Ａの場合は、相談所を設置するのは困難であるため、図示しないがインターフォン７０をモデム５２を介してインターネット６４に接続し、例えば遠隔地にあるラボ６６と接続してラボ６６にいる相談員（図示しない）から操作支援を受けることとしてもよい。
【００５３】
次に、装置１０のＣＰＵ９４は、デジタルカメラ２４で撮影された被写体のデジタル画像データに、固有のテキストデータを対応させるデータ処理工程Ｓ１０４を行う。この対応させられたテキストデータによって、ＣＰＵ９４は、ワークメモリ９８内に識別可能なデジタル画像データを作成する。
【００５４】
次にオプション選択Ｓ１０６を行う。これは、利用者が挿入した記録媒体にテキストデータ付きデジタル画像データを出力するメディア出力を行うか、利用者の持参したＩＣ（Ｉｎｔｅｇｒａｔｅｄ　Ｃｉｒｃｕｉｔ）／ＩＤ（ＩＤｅｎｔｉｆｉｃａｔｉｏｎ）カードにテキストデータとともに画像をプリントするカードプリントを行うか、またはテキストデータ付きデジタル画像データを所定の拠点、例えばラボ６６に転送するデータ転送を行うか、のいずれかを選択する工程である。
【００５５】
利用者１４がメディア出力を選択する場合には、メディア出力工程Ｓ１１０に進む。このようにしてテキストデータ付きデジタル画像データが出力された記録媒体を利用者１４は受け取ることができる。
【００５６】
利用者１４がカードプリントを選択する場合には、ステップＳ１１４に進み、ＩＣ／ＩＤカードをカードプリンタ５０に挿入する。このカードは、写真撮影装置１０の提供者と契約した、例えば社員証として樹脂製のＩＣ／ＩＤカードを作成したい会社が、あらかじめ社員（利用者１４）に対して発行しておくものである。当該カードは、図７に示すように、白無地のカード１３０でもよいし、写真撮影装置１０のカードプリンタ５０が写真をプリントする場所１３２だけが空白となっていて残りの場所には会社のロゴマーク１３４などの模様が既にプリントされたプレ印刷カード１３６としてもよい。カードが挿入されると、カードプリンタ５０は所定の場所に写真およびテキストをプリントする（ステップＳ１１６）。なお、図示しないが、ＩＣカードにプリントする場合には、カードプリンタ５０に磁気エンコーダを付加し、ＩＣカードの磁気ストライプ部分にテキストデータを磁気データとして書き込むこととしてもよい。
【００５７】
利用者１４がデータ転送を選択する場合には、ステップＳ１１８に進み、データ転送を行う。これはステップＳ１０２で入力されたテキストデータに、メールアドレスなどの転送先情報が記録されている場合に選択し得るオプションである。テキストデータ付きデジタル画像データはラボ６６その他の指定されたラボ６６などの転送先に転送され、転送先で写真入り名刺、写真入りカードその他の写真・テキストデータが印刷された書札が作成される。利用者は後日転送先へ赴き、作成された書札を受け取ればよい。
【００５８】
【発明の効果】
このように本発明によれば、撮影したデジタル画像データが誰のものか識別できるようになるため、既存の自動証明撮影装置ではプリント（紙またはシール紙）に出力されるにすぎなかったデジタル画像データを、多様な形で利用できる１つの「アウトプット」と見なすことが出来る。
【００５９】
社員証を作成したい会社は、所定のカードを社員に対して発行し、社員自らがそのカードを持参して本発明による写真撮影装置にて写真撮影を行うことにより、写真入りカードを作成できる。これにより、今まで作成が難しく、手間暇が掛かった写真入りＩＣ／ＩＤカードが簡単で迅速に作成できる。
【００６０】
また、会社がカード発行部門を有さず、社員がカードを持参することができない場合でも、社員は、所定の記録媒体に必要なテキストデータ付きのデジタル画像データを記録した形で、デジタル画像データの提供を受けることができる。したがって、かかる記録媒体を受け取った社員自らがカード作成会社の所定の拠点に赴き、記録媒体を提示してカード発行を受けることができる。その際、記録媒体とともにプリントした写真をセットに提出することで、本人認証用の鍵の一種として使える。すなわち、カード作成会社の拠点では、記録媒体に記録されたデジタル画像データと、既にプリントされた写真とを目視によって比較して、それらが一致することを確認することにより、本人になり代わって不正にカードを受け取ろうとする者でないか否かを確認することができる。
【００６１】
さらに、デジタル画像データは、本発明による写真撮影装置から通信回線を通して、書札作成のための設備の整った別の場所に転送することもできるため、利用者が記録媒体を有しない場合でも、写真入り名刺や写真入りカードなどの書札を簡単に作成することができる。
【００６２】
その他の本発明の利点としては、テキストデータ入力に際しての利点がある。すなわち、キーボード入力などの人の手を煩わさず、迅速で快適であり、人の手を経ないということで、改ざん・入力ミスが生じる可能性も少なくすることができる。
【図面の簡単な説明】
【図１】本発明による写真撮影装置の一実施例を示す全体構成図である。
【図２】図１に示す写真撮影装置の外観図である。
【図３】図１に示す写真撮影装置がインターネットを介して様々な拠点と接続されるブロック図である。
【図４】図１に示すデジタルカメラおよびコントローラの機能ブロック図である。
【図５】図１に示す写真撮影装置の動作を説明するフローチャートである。
【図６】図５に示す写真撮影工程の詳細なフローチャートである。
【図７】図１に示すカードプリンタに挿入されるＩＣ／ＩＤカードを示す図である。
【符号の説明】
１０　写真撮影装置
２４　デジタルカメラ
３３　コントローラ
３７　カードリーダ／ライタ
４８　スキャナ
５０　カードプリンタ
５２　モデム
７４　インターフォン
７７　ＰＣ
【図１】
2004104297.tif 000003
【図２】
2004104297.tif 000004
【図３】
2004104297.tif 000005
【図４】
2004104297.tif 000006
【図５】
2004104297.tif 000007
【図６】
2004104297.tif 000008
【図７】
2004104297.tif 000009